(57)【要約】【課題】  本発明の目的とするところは、クロストーク発生領域を検出し、別の領域と識別できるようにディスプレイするディスプレイ装置及びその制御方法を提供することにある。【解決手段】  ディスプレイ装置が開示される。ディスプレイ装置は、映像を受信する映像受信部と、受信された映像を左眼映像及び右眼映像に分離して処理する映像処理部と、左眼映像及び右眼映像を交互に出力する映像出力部と、左眼映像及び右眼映像を構成する画素単位で左眼映像及び右眼映像の画素値の差を算出し、算出された画素値の差及び予め設定されたディスプレイパネルの応答速度を用いてクロストーク発生領域を検出し、検出されたクロストーク発生領域を別の領域と識別できる形態でディスプレイするように制御する制御部とを含む。【選択図】      図２
2014011804.tif 000002
【特許請求の範囲】
【請求項１】
映像を受信する映像受信部と、
前記受信された映像を左眼映像及び右眼映像に分離して処理する映像処理部と、
前記左眼映像及び右眼映像を交互に出力する映像出力部と、
前記左眼映像及び右眼映像を構成する画素単位で前記左眼映像及び右眼映像の画素値の差を算出し、算出された画素値の差及び予め設定されたディスプレイパネルの応答速度を用いてクロストーク発生領域を検出し、前記検出されたクロストーク発生領域を別の領域と識別できる形態でディスプレイするように制御する制御部と
を含むディスプレイ装置。
【請求項２】
前記制御部は、
前記検出されたクロストーク発生領域をクロストーク発生程度に応じて複数のレベルに区分し、前記複数のレベルのそれぞれを異なる形態でディスプレイするように制御することを特徴とする請求項１に記載のディスプレイ装置。
【請求項３】
前記制御部は、
前記複数のレベルのそれぞれを異なる色相でディスプレイするように制御することを特徴とする請求項２に記載のディスプレイ装置。
【請求項４】
前記制御部は、
前記検出されたクロストーク発生領域をクロストーク発生程度に応じて複数のレベルに区分し、前記複数のレベルのうち、予め設定された臨界レベル以上に該当する領域のみをディスプレイするように制御することを特徴とする請求項１に記載のディスプレイ装置。
【請求項５】
前記制御部は、
前記クロストーク発生領域を同一のモノラル色でディスプレイするように制御することを特徴とする請求項１に記載のディスプレイ装置。
【請求項６】
前記制御部は、
前記クロストーク発生領域を前記映像にオーバーレイしてディスプレイするように制御することを特徴とする請求項１に記載のディスプレイ装置。
【請求項７】
前記制御部は、
前記クロストーク発生領域の透明度を、時間に応じて可変してディスプレイするように制御することを特徴とする請求項６に記載のディスプレイ装置。
【請求項８】
前記制御部は、
前記左眼映像及び右眼映像の各画素単位に対して算出された画素値の差が予め設定された基準値以上の領域をクロストーク発生可能領域と判断し、前記判断されたクロストーク発生可能領域に対する左眼映像及び右眼映像の画素値変更によるディスプレイパネルの応答速度を確認し、前記クロストーク発生領域を検出することを特徴とする請求項１に記載のディスプレイ装置。
【請求項９】
前記制御部は、
前記クロストーク発生可能領域が別の領域と識別されて表示されるように制御することを特徴とする請求項８に記載のディスプレイ装置。
【請求項１０】
画素値変更に対応する前記予め設定されたディスプレイパネルの応答速度を保存する保存部を更に含むことを特徴とする請求項１に記載のディスプレイ装置。
【請求項１１】
外部装置と通信を行い、前記予め設定されたディスプレイパネルの応答速度を受信する通信部を更に含み、
前記制御部は、
前記外部装置から受信された前記予め設定されたディスプレイパネルの応答速度を用いてクロストーク発生領域を検出することを特徴とする請求項１に記載のディスプレイ装置。
【請求項１２】
ディスプレイ装置の制御方法において、
受信された映像を左眼映像及び右眼映像に分離して処理するステップと、
前記左眼映像及び右眼映像を交互に出力するステップと、
前記左眼映像及び右眼映像を構成する画素単位で前記左眼映像及び右眼映像の画素値の差を算出するステップと、
前記算出された画素値の差及び予め設定されたディスプレイパネルの応答速度を用いてクロストーク発生領域を検出するステップと、
前記検出されたクロストーク発生領域を別の領域と識別できる形態でディスプレイするステップと
を含む制御方法。
【請求項１３】
前記ディスプレイするステップは、
前記検出されたクロストーク発生領域をクロストーク発生程度に応じて複数のレベルに区分し、前記複数のレベルのそれぞれを異なる形態でディスプレイすることを特徴とする請求項１２に記載の制御方法。
【請求項１４】
前記ディスプレイするステップは、
前記複数のレベルのそれぞれを異なる色相でディスプレイすることを特徴とする請求項１３に記載の制御方法。
【請求項１５】
前記ディスプレイするステップは、
前記検出されたクロストーク発生領域をクロストーク発生程度に応じて複数のレベルに区分し、前記複数のレベルのうち、予め設定された臨界レベル以上に該当する領域のみをディスプレイすることを特徴とする請求項１２に記載の制御方法。
【発明の詳細な説明】
【技術分野】
【０００１】
本発明は、ディスプレイ装置及びその制御方法に関し、より詳細には、３Ｄ映像をディスプレイするディスプレイ装置及びその制御方法に関する。
【背景技術】
【０００２】
３次元立体の映像技術は、情報通信、放送、医療、教育訓練、軍事、ゲーム、アニメーション、仮想現実、ＣＡＤ、産業技術等、その応用分野が非常に多様であり、このような様々な分野で共通して必要とされる次世代３次元立体のマルチメディア情報通信のコア基盤技術といえる。
【０００３】
一般的に、人間が知覚する立体感は、観察しようとする物体の位置による水晶体の厚さの変化程度、両眼と対象物との角度の差、そして左右眼に映る対象物の位置及び形の相違、対象物の運動によって生じる時差、その他に各種心理及び記憶による効果等が複合的に作用して生じる。
【０００４】
その中でも、人の両眼が横方向に約６〜７ｃｍ程離れていることで生じる両眼時差（ｂｉｎｏｃｕｌａｒ  ｄｉｓｐａｒｉｔｙ）は、立体感において最も重要な要因といえる。即ち、両眼時差によって対象物に対する角度の差が生じたままモノを眺めるようになり、この差によってそれぞれの眼に入ってくるイメージが相互に異なる像を持つようになって、この二つの映像が網膜を通じて脳へと伝達されると、脳はこの二つの情報を正確に融合して本来の３次元立体映像を感じることができるのである。
【０００５】
立体映像ディスプレイ装置としては、特殊メガネを使用するメガネ式と、特殊メガネを使用しない非メガネ式とに区分される。メガネ式は、相互補色関係にある色フィルタを用いて映像を分離選択する色フィルタ方式と、直交する偏光素子の組み合わせによる遮光効果を用いて左眼と右眼との映像を分離する偏光フィルタ方式及び左眼映像信号と右眼映像信号とをスクリーンに投射する同期信号に対応して左眼と右眼とを交互に遮断することで、立体感を感じさせるシャッタグラス方式とが存在する。
【０００６】
一方、従来のディスプレイ装置では、左眼映像及び右眼映像とをディスプレイすることにおいて、ディスプレイパネルの応答速度によるクロストーク現象を起きる場合がしばしば生じていた。特に、左眼映像及び右眼映像の階調差が大きいほど、パネルの応答速度によるクロストーク発生の可能性が増加するという問題点があった。
【０００７】
しかし、このようなクロストーク発生領域の表示機能が不在することで、特に、放送用のモニタの場合、コンテンツ制作及び編集時に当該欠陥を解決することができないという問題点があった。
【先行技術文献】
【特許文献】
【０００８】
【特許文献１】韓国特開第２０１２−０００７８６３号公報
【発明の概要】
【発明が解決しようとする課題】
【０００９】
そこで、本発明は、上記問題に鑑みてなされたものであり、本発明の目的とするところは、クロストーク発生領域を検出し、別の領域と識別できるようにディスプレイするディスプレイ装置及びその制御方法を提供することにある。
【課題を解決するための手段】
【００１０】
以上の目的を達成するための本発明の一実施形態に係るディスプレイ装置は、映像を受信する映像受信部と、前記受信された映像を左眼映像及び右眼映像に分離して処理する映像処理部と、前記左眼映像及び右眼映像を交互に出力する映像出力部と、前記左眼映像及び右眼映像を構成する画素単位で前記左眼映像及び右眼映像の画素値の差を算出し、算出された画素値の差及び予め設定されたディスプレイパネルの応答速度を用いてクロストーク発生領域を検出し、前記検出されたクロストーク発生領域を別の領域と識別できる形態でディスプレイするように制御する制御部とを含む。
【００１１】
なお、前記制御部は、前記検出されたクロストーク発生領域をクロストーク発生程度に応じて複数のレベルに区分し、前記複数のレベルのそれぞれを異なる形態でディスプレイするように制御してよい。
【００１２】
なお、前記制御部は、前記複数のレベルのそれぞれを異なる色相でディスプレイするように制御してよい。
【００１３】
なお、前記制御部は、前記検出されたクロストーク発生領域をクロストーク発生程度に応じて複数のレベルに区分し、前記複数のレベルのうち、予め設定された臨界レベル以上に該当する領域のみをディスプレイするように制御してよい。
【００１４】
なお、前記制御部は、前記クロストーク発生領域を同一のモノラル色でディスプレイするように制御してよい。
【００１５】
なお、前記制御部は、前記クロストーク発生領域を前記映像にオーバーレイしてディスプレイするように制御してよい。
【００１６】
なお、前記制御部は、前記クロストーク発生領域の透明度を、時間に応じて可変してディスプレイするように制御してよい。
【００１７】
なお、前記制御部は、前記左眼映像及び右眼映像の各画素単位に対して算出された画素値の差が予め設定された基準値以上の領域をクロストーク発生可能領域と判断し、前記判断されたクロストーク発生可能領域に対する左眼映像及び右眼映像の画素値変更によるディスプレイパネルの応答速度を確認し、前記クロストーク発生領域を検出してよい。
【００１８】
なお、前記クロストーク発生可能領域を判断するための前記基準値を受信するためのユーザインターフェース部を更に含み、前記制御部は、前記クロストーク発生可能領域が別の領域と識別されて表示されるように制御してよい。
【００１９】
なお、画素値変更に対応する前記予め設定されたディスプレイパネルの応答速度を保存する保存部を更に含んでよい。
【００２０】
なお、外部装置と通信を行い、前記予め設定されたディスプレイパネルの応答速度を受信する通信部を更に含み、前記制御部は、前記外部装置から受信された前記予め設定されたディスプレイパネルの応答速度を用いてクロストーク発生領域を検出してよい。
【００２１】
一方、本発明の一実施形態に係るディスプレイ装置の制御方法は、受信された映像を左眼映像及び右眼映像に分離して処理するステップと、前記左眼映像及び右眼映像を交互に出力するステップと、前記左眼映像及び右眼映像を構成する画素単位で前記左眼映像及び右眼映像の画素値の差を算出するステップと、前記算出された画素値の差及び予め設定されたディスプレイパネルの応答速度を用いてクロストーク発生領域を検出するステップと、前記検出されたクロストーク発生領域を別の領域と識別できる形態でディスプレイするステップとを含む。
【００２２】
なお、前記ディスプレイするステップは、前記検出されたクロストーク発生領域をクロストーク発生程度に応じて複数のレベルに区分し、前記複数のレベルのそれぞれを異なる形態でディスプレイしてよい。
【００２３】
なお、前記ディスプレイするステップは、前記複数のレベルのそれぞれを異なる色相でディスプレイしてよい。
【００２４】
なお、前記ディスプレイするステップは、前記検出されたクロストーク発生領域をクロストーク発生程度に応じて複数のレベルに区分し、前記複数のレベルのうち、予め設定された臨界レベル以上に該当する領域のみをディスプレイしてよい。
【００２５】
なお、前記クロストーク発生領域を前記映像にオーバーレイしてディスプレイしてよい。
【００２６】
なお、前記ディスプレイするステップは、前記クロストーク発生領域の透明度を、時間に応じて可変してディスプレイしてよい。
【００２７】
なお、前記クロストーク発生領域を検出するステップは、前記左眼映像及び右眼映像の各画素単位に対して算出された画素値の差が予め設定された基準値以上の領域をクロストーク発生可能領域と判断するステップと、前記判断されたクロストーク発生可能領域に対する左眼映像及び右眼映像の画素値変更によるディスプレイパネルの応答速度を確認し、前記クロストーク発生領域を検出するステップとを含む。
【００２８】
なお、前記クロストーク発生可能領域が別の領域と識別されるように表示するステップを更に含んでよい。
【００２９】
ここで、前記予め設定されたディスプレイパネルの応答速度は、予め保存された画素値変更に対応するディスプレイ応答速度及び外部から受信された画素値変更に対応するディスプレイ応答速度のうち、少なくとも一方であってよい。
【発明の効果】
【００３０】
以上説明したように、本発明によれば、クロストーク発生領域を容易に認知することができるようになるため、ユーザの便宜性を向上することができるようになる。
【図面の簡単な説明】
【００３１】
【図１】本発明の一実施形態に係る３Ｄ映像提供システムを示す図である。
【図２】図１に示すディスプレイ装置の構成を示すブロック図である。
【図３】本発明の一実施形態に係る映像出力部の細部構成を示すブロック図である。
【図４】本発明の一実施形態に係る制御部の細部構成を示すブロック図である。
【図５Ａ】本発明の一実施形態に係るクロストーク発生領域の表示方法を説明するための図である。
【図５Ｂ】本発明の一実施形態に係るクロストーク発生領域の表示方法を説明するための図である。
【図６Ａ】本発明の一実施形態に係るクロストーク発生領域の検出方法を説明するための図である。
【図６Ｂ】本発明の一実施形態に係るクロストーク発生領域の検出方法を説明するための図である。
【図６Ｃ】本発明の一実施形態に係るクロストーク発生領域の検出方法を説明するための図である。
【図７Ａ】本発明の理解を促すためのイメージ形態を説明するための図である。
【図７Ｂ】本発明の理解を促すためのイメージ形態を説明するための図である。
【図７Ｃ】本発明の理解を促すためのイメージ形態を説明するための図である。
【図８】本発明の一実施形態に係るクロストーク発生領域の表示方法を説明するための図である。
【図９Ａ】本発明の別の実施形態に係るクロストーク発生領域の表示方法を説明するための図である。
【図９Ｂ】本発明の別の実施形態に係るクロストーク発生領域の表示方法を説明するための図である。
【図９Ｃ】本発明の別の実施形態に係るクロストーク発生領域の表示方法を説明するための図である。
【図１０】本発明の更に別の実施形態に係るクロストーク発生領域の表示方法を説明するための図である。
【図１１】本発明の更に別の実施形態に係るクロストーク発生領域の表示方法を説明するための図である。
【図１２】本発明の更に別の実施形態に係るクロストーク発生領域の表示方法を説明するための図である。
【図１３】（ａ）及び（ｂ）は本発明の一実施形態に係るユーザインターフェース画面を示す図である。
【図１４】本発明の一実施形態に係るディスプレイ装置の制御方法を説明するためのフローチャートである。
【発明を実施するための形態】
【００３２】
以下に添付図面を参照しながら、本発明の好適な実施形態について詳細に説明する。
【００３３】
図１は、本発明の一実施形態に係る３Ｄ映像提供システムを示す図である。同図に示すように、３Ｄ映像を画面に表示するためのディスプレイ装置１００及び３Ｄ映像を視聴するための３Ｄグラス２００で構成される。
【００３４】
ディスプレイ装置１００は、カメラ等の撮像装置から受信された２Ｄ映像、３Ｄ映像またはカメラによって撮影されて放送局から編集／加工された後、放送局から送出された３Ｄ映像を受信し、処理してからそれを画面に表示する。特に、ディスプレイ装置１００は、３Ｄ映像のフォーマットを参照し、左眼映像と右眼映像とを加工し、加工された左眼映像及び右眼映像が時分割されて交互にディスプレイされるようにすることができる。
【００３５】
３Ｄグラス２００は、アクティブタイプ、すなわち、ディスプレイ装置１００にディスプレイされる左眼映像及び右眼映像のディスプレイ時点で同期化され、左眼及び右眼シャッタをオン／オフさせるシャッタグラス（ｓｈｕｔｔｅｒ  ｇｌａｓｓ）で実現されてよい。ただ、それに限定されるものではなく、左眼及び右眼が互いに異なる偏光を有するパッシブタイプの偏光メガネで実現されることも可能である。
【００３６】
一方、本発明の一実施形態に係る映像提供システムは、３Ｄ映像を生成するためのカメラ（図示せず）を更に含んでよい。
【００３７】
カメラ（図示せず）は、３Ｄ映像を生成するための撮影装置の一種として、ユーザの左眼に提供することを目的として撮影された左眼映像と、ユーザの右眼に提供することを目的として撮影された右眼映像とを生成する。すなわち、３Ｄ映像は、左眼映像と右眼映像とで構成され、このような左眼映像と右眼映像とがユーザの左眼と右眼とにそれぞれ交互に提供され、両眼時差による立体感が生じるようになる。
【００３８】
そのために、カメラ（図示せず）は、左眼映像を生成するための左眼カメラと右眼映像を生成するための右眼カメラとで構成され、左眼カメラと右眼カメラとの間の間隔は、人の両眼間の離隔間隔から考慮されるようになる。
【００３９】
カメラ（図示せず）は、撮影された左眼映像と右眼映像とをディスプレイ装置１００に伝達する。特に、カメラ（図示せず）が、ディスプレイ装置１００に伝達する左眼映像と右眼映像とは、一つのフレームに左眼映像及び右眼映像のいずれか一方の映像のみで構成されたフォーマットで伝達されたり、一つのフレームに左眼映像と右眼映像との両方が含まれるように構成されたフォーマットで伝達されてよい。
【００４０】
カメラ（図示せず）は、多様な３Ｄ映像のフォーマットのうち、一つのフォーマットを予め決定し、決定されたフォーマットに応じて３Ｄ映像を生成してディスプレイ装置１００に伝達することができる。
【００４１】
図２は、図１に示すディスプレイ装置１００の構成を示すブロック図である。
【００４２】
同図に示すように、本ディスプレイ装置１００は、映像受信部１１０と、映像処理部１２０と、映像出力部１３０と、保存部１４０と、制御部１５０及びユーザインターフェース部１６０を含む。
【００４３】
映像受信部１１０は、放送局または衛星から有線または無線で受信される放送を受信して復調する。なお、映像受信部１１０は、カメラ等の外部機器と接続され、外部機器から２Ｄまたは３Ｄ映像を受信することができる。外部機器は、無線で接続されたり、Ｓ−Ｖｉｄｅｏ、コンポーネント、コンポジット、Ｄ−Ｓｕｂ、ＤＶＩ、ＨＤＭＩ（登録商標）等のインターフェースを介して有線で接続されることができる。
【００４４】
３Ｄ映像は、少なくとも一つのフレームで構成された映像として、一つの映像フレームに左眼映像と右眼映像とが含まれたり、各フレームが左眼映像または右眼映像で構成された映像を意味する。すなわち、３Ｄ映像は、多様な３Ｄフォーマットのうち一つによって生成された映像である。
【００４５】
よって、映像受信部１１０に受信される３Ｄ映像は、多様なフォーマットであってよく、特に、一般的なトップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式及びチェッカーボード（ｃｈｅｃｋｅｒ  ｂｏａｒｄ）方式、シーケンシャルフレーム（ｓｅｑｕｅｎｔｉａｌ  ｆｒａｍｅ）のうち一つによるフォーマットでなされることができる。
【００４６】
映像受信部１１０は、受信された２Ｄ映像または３Ｄ映像を映像処理部１２０に伝達する。
【００４７】
映像処理部１２０は、映像受信部１１０に受信された２Ｄまたは３Ｄ映像に対して、ビデオデコーディング、フォーマット分析、ビデオスケーリング等の信号処理及びＧＵＩ付加等の作業を行う。
【００４８】
特に、映像処理部１２０は、映像受信部１１０に入力された映像のフォーマットを用いて、一つの画面の大きさ（例えば、１９２０*１０８０）に該当する左眼映像と右眼映像とをそれぞれ生成する。
【００４９】
例えば、映像受信部１１０を介して受信された３Ｄ映像のフォーマットが、トップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式及びチェッカーボード（ｃｈｅｃｋｅｒ  ｂｏａｒｄ）方式、シーケンシャルフレーム（ｓｅｑｕｅｎｔｉａｌ  ｆｒａｍｅ）によるフォーマットである場合、映像処理部１２０は、各映像フレームから左眼映像部分と右眼映像部分とをそれぞれ抽出し、抽出された左眼映像と右眼映像とを拡大スケーリングまたは補間することで、ユーザに提供するための左眼映像と右眼映像とをそれぞれ生成するようになる。
【００５０】
一方、入力された３Ｄ映像のフォーマットに対する情報は、３Ｄ映像信号に含まれててもよく、含まれていなくてもよい。
【００５１】
例えば、入力された３Ｄ映像のフォーマットに対する情報が、３Ｄ映像信号に含まれている場合、映像処理部１２０は３Ｄ映像を分析してフォーマットに対する情報を抽出し、抽出された情報によって受信された３Ｄ映像を処理するようになる。一方、入力された３Ｄ映像のフォーマットに対する情報が３Ｄ映像信号に含まれていない場合、映像処理部１２０はユーザによって入力されたフォーマットに従って受信された３Ｄ映像を処理したり、予め設定されたフォーマットに従って受信された３Ｄ映像を処理するようになる。
【００５２】
なお、映像処理部１２０は、映像受信部１１０を介して受信された映像が２Ｄ映像である場合、３Ｄ映像に変換した後、変換された３Ｄ映像を左眼及び右眼映像に分離して処理することができる。
【００５３】
映像処理部１２０は、抽出された左眼映像と右眼映像とを時分割して交互に映像出力部１３０に伝達する。即ち、映像処理部１２０は「左眼映像（Ｌ１）→右眼映像（Ｒ１）→左眼映像（Ｌ２）→右眼映像（Ｒ２）→…」の時間的順番で左眼映像と右眼映像を映像出力部１３０に伝達する。
【００５４】
映像出力部１３０は、映像処理部１２０から出力される左眼映像と右眼映像とを交互に出力してユーザに提供する。
【００５５】
図３は、本発明の一実施形態に係る映像出力部の細部構成を示すブロック図である。
【００５６】
同図に示すように、映像出力部１３０は、パネル駆動部１３１と、ディスプレイパネル１３２及びバックライト部１３３を含む。
【００５７】
ディスプレイパネル１３２は、左眼映像及び右眼映像をディスプレイする機能を担うものとして、例えば、ＬＣＤパネル、ＯＬＥＤパネル、ＰＤＰパネル等で実現されてよい。
【００５８】
ディスプレイパネル１３２は、ＲＧＢ画素を含む形態で実現されてよく、ＲＧＢ画素のそれぞれは、制御部１５０の制御に応じて同時に発光したり、順次に発光することができる。
【００５９】
パネル駆動部１３１は、制御部１５０の制御により、ディスプレイパネル１３２を駆動する機能を担う。
【００６０】
バックライト部１３３は、ディスプレイパネル１３２に光を照射するバックライト発光部（図示せず）及びバックライト発光部（図示せず）を駆動するためのバックライト駆動部（図示せず）を含んでよい。
【００６１】
バックライト部１３３は、ディスプレイパネル１３２がＬＣＤパネルのような別途のバックライト光源を必要とする場合に備えられてよく、ＯＬＥＤパネルのように自発光素子を含むパネルには適用されなくてよい。
【００６２】
バックライト駆動部（図示せず）は、一フレーム周期を構成する複数個のスキャニングパルスを有し、制御部１５０の制御によって調節されるスキャニング信号を生成してバックライト発光部（図示せず）を駆動する。
【００６３】
バックライト発光部（図示せず）は、ディスプレイパネル１３２に光を照射し、光源に白色ＬＥＤ（Ｌｉｇｈｔ  Ｅｍｉｔｔｉｎｇ  Ｄｉｏｄｅ）、カラーＬＥＤのうちいずれかが利用されてよい。しかし、それに限定されるものではなく、ＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、ＦＥＤ（Ｆｉｅｌｄ  Ｅｍｉｓｓｉｏｎ  Ｄｉｓｐｌａｙ）のうち、いずれか一つを利用してよい。なお、バックライト発光部（図示せず）は、所定数の領域に分割され、バックライト駆動部（図示せず）によってスキャニング駆動される。所定数の領域は、ライン単位に区分されてよく、または、ブロック単位に区分されてよい。ここで、ブロックは、所定数のランプであってよく、バックライト駆動部（図示せず）は、各ブロック別に点滅するように構成されてよい。
【００６４】
この場合、制御部１５０は、左眼映像及び右眼映像がディスプレイされる所定時点でバックライト発光部（図示せず）が駆動されるようにバックライト駆動部（図示せず）を制御することができる。
【００６５】
保存部１４０は、ディスプレイ装置１００を動作させるために必要な各種プログラム等が保存される保存媒体として、メモリ、ＨＤＤ（Ｈａｒｄ  Ｄｉｓｋ  Ｄｒｉｖｅ）等で実現可能である。
【００６６】
特に、保存部１４０は、ディスプレイパネル１３２の応答速度をテーブル形態で保存されてよい。具体的に、保存部１４０は、画素値変更によるディスプレイパネル１３２の応答速度を保存することができる。
【００６７】
例えば、保存部１４０は、ディスプレイパネル１３２の応答速度をＧｒａｙ  ｔｏ  Ｇｒａｙ  Ｒｅｓｐｏｎｓｅ  Ｔｉｍｅ（Ｇ−Ｇ  ＲＴ）テーブル形態で保存することができる。ここで、テーブルは、パネルの応答速度を測定して設けたり、パネル製造会社等から獲得することができる。
【００６８】
制御部１５０は、後述のユーザインターフェース部１６０から伝達されるユーザ命令に従い、ディスプレイ装置１００の動作全般を制御する。
【００６９】
特に、制御部１５０は、映像受信部１１０及び映像処理部１２０を制御し、受信された２Ｄ映像または３Ｄ映像を左眼映像と右眼映像とに分離し、分離された左眼映像と右眼映像とのそれぞれが、１つの画面でディスプレイできる大きさでスケーリング又は補間されるように制御する。
【００７０】
特に、制御部１５０は、左眼映像及び右眼映像の各画素単位に対して画素値の差を算出し、算出された画素値の差及び予め設定されたディスプレイパネルの応答速度を用いてクロストーク発生領域を検出することができる。ここで、ディスプレイパネルの応答速度は、保存部１４０に保存されていたり、外部から受信されてよい。
【００７１】
具体的に、制御部１５０は、算出された画素値の差を基準にクロストーク発生可能領域を判断し、判断されたクロストーク発生可能領域に対する左眼映像及び右眼映像の画素値変更による応答速度を確認し、クロストーク発生領域を検出することができる。
【００７２】
ここで、画素値の差は、次のような数式によって算出可能である。
【００７３】
【数１】
2014011804.tif 000003
ここで、ｉ、ｊは、入力される映像のピクセル座標であってよい。
【００７４】
なお、制御部１５０は、左眼映像及び右眼映像の画素値の差に基づいて算出されたクロストーク発生可能領域または画素値の差及びディスプレイパネルの応答速度に基づいて算出されたクロストーク発生領域を示す表示情報をディスプレイするように制御することができる。ここで、表示情報は、当該領域を別の領域と区別できるように表示するためのディスプレイイメージであってよい。
【００７５】
なお、制御部１５０は、クロストーク発生領域をクロストーク発生程度に応じて異なる形態で表示するように制御することができる。例えば、クロストーク発生程度に応じて、クロストーク発生領域を複数のレベルに区分し、複数のレベルのそれぞれに対して互いに異なる色相を使用して表示したり、相違なるグレイスケールで表示することができる。この場合、上述のＧ−Ｇ  ＲＴテーブルで値の大きい階調の間の変動であるほど、濃く表示してよい。
【００７６】
なお、制御部１５０は、クロストーク発生領域のうち、予め設定された臨界レベル以上に該当する領域に対応する表示情報のみをディスプレイするように制御することができる。
【００７７】
なお、制御部１５０は、クロストーク発生領域を同一のモノラル色でディスプレイすることができる。
【００７８】
この場合、制御部１５０は、クロストーク発生領域のみをディスプレイしたり、原本映像にクロストーク発生領域をオーバーレイしてディスプレイするように制御することができる。なお、制御部１５０は、クロストーク発生領域が原本映像内の別の領域と識別されて表示されるように制御することができる。この場合、制御部１５０は、クロストーク発生領域の透明度を時間に応じて可変してディスプレイすることができる。
【００７９】
なお、場合によって、制御部１５０はクロストーク発生可能領域、すなわち、左右映像間の画素値の差が予め設定された値以上の領域に対しても、その画素値の差に応じて異なる形態で表示することが可能である。当該領域に対しても、上述のような表示方式が同様に適用できるため、詳細な説明は省略する。
【００８０】
ユーザインターフェース部１６０は、リモコン等の入力手段から受信されるユーザ命令を制御部１５０に伝達する。
【００８１】
特に、ユーザインターフェース部１６０は、クロストーク発生可能領域を判断するための基準値を受信することができる。
【００８２】
この場合、制御部１５０は、算出された画素値がユーザインターフェース部１６０を介して入力された基準値以上の場合、当該領域をクロストーク発生可能領域として検出することができる。ただ、それは一実施形態に過ぎず、クロストーク発生可能領域を判断するための基準値は、デフォルトに設定されていることも可能である。
【００８３】
一方、本発明の別の実施形態によると、制御部１５０は、通信部（図示せず）を介して外部装置（図示せず）からディスプレイパネルの応答速度を提供されることができる。
【００８４】
具体的に、制御部１５０は、クロストークプレビューモードを提供し、ディスプレイ装置１００と接続された外部装置（図示せず）を選択するためのメニューを提供し、選択された外部装置（図示せず）からディスプレイパネルの応答速度に対する情報を受信することができる。この場合、外部装置（図示せず）は、ＵＳＢメモリ、イーサネット（登録商標）を通じて製造会社提供のアプリケーション、ＨＤＭＩ（登録商標）を通じて接続された他の装置等であってよい。
【００８５】
この場合、制御部１５０は、入力される映像の左眼映像及び右眼映像の画素値の差を算出し、算出された画素値の差及び外部装置（図示せず）から伝送されたディスプレイパネルの応答速度に基づいてクロストーク発生領域を検出することができる。
【００８６】
それにより、ディスプレイパネルに応じて、領域別／温度別に膨大な容量のＬＵＴデータが必要な場合には、ディスプレイ装置１００の内部に当該データを保存せずに、外部装置（図示せず）を介して当該データを提供されることができる。
【００８７】
上記のような方式を利用する場合、ディスプレイ装置１００の他の外部ディスプレイ装置（図示せず）におけるクロストーク発生領域を検出して提供することもできるようになる。具体的に、ディスプレイ装置１００に予め保存されたディスプレイパネルの応答速度に対するデータの代わりに、外部装置（図示せず）または外部ディスプレイ装置（図示せず）から伝送された外部ディスプレイ装置のディスプレイパネルの応答速度に対するデータをロジック処理部にロードして、入力される映像に対するクロストーク発生領域を検出することができる。
【００８８】
この場合、他の外部ディスプレイ装置（図示せず）のディスプレイパネルは、ディスプレイ装置１００のディスプレイパネルと物性及び特性が同一のパネルであってよい。例えば、ディスプレイ装置１００のディスプレイパネルがＬＣＤパネルである場合、外部ディスプレイ装置（図示せず）のディスプレイパネルもＬＣＤパネルであってよい。
【００８９】
なお、他の外部ディスプレイ装置（図示せず）は、ディスプレイ装置１００と同様の３Ｄ駆動方式を有する３Ｄディスプレイ装置であってよい。例えば、ディスプレイ装置１００がアクティブシャッタグラス方式の３Ｄディスプレイ装置である場合、外部ディスプレイ装置（図示せず）もアクティブシャッタグラス方式の３Ｄディスプレイ装置であってよい。
【００９０】
それにより入力される映像に対して多様なディスプレイ装置から発生するクロストーク発生領域を検出し、提供することができるようになる。
【００９１】
一方、本発明の更に別の実施形態によると、上述の実施形態により、クロストーク発生領域が検出されると、検出されたクロストーク発生領域のクロストーク効果を最小限化するための３Ｄオプションに対する設定ガイドラインを提供することができる。ここで、３Ｄオプションは、ＣＴＲオプション、メガネＤｕｔｙ動作関連のオプション等であってよい。
【００９２】
すなわち、ディスプレイ装置１００を通じて当該コンテンツに対するクロストーク発生領域が検出されると、ユーザに提供されるコンテンツには、検出されたクロストーク発生領域のクロストーク効果を最小限化するための３Ｄオプションに対する設定ガイドラインを付加して提供することができる。この場合、設定ガイドラインは、ディスプレイ装置製造会社及び製品モデルのいずれか一つによる３Ｄオプションを含んでよい。
【００９３】
それにより、ユーザが、ガイドラインによって３Ｄオプションを設定し、当該コンテンツに対するクロストーク現象を最小限化することができるようになる。
【００９４】
以下の表１は、本発明の一実施形態に係るパネルの応答速度を保存したテーブル形態を示す。
【００９５】
【表１】
2014011804.tif 000004
表１に示すように、各画素値によるディスプレイパネルの応答速度がディスプレイ装置に予め保存されていてよい。具体的に、各画素値変更によるディスプレイパネルの応答速度は、テーブル形態で保存されていてよい。
【００９６】
例えば、特定映像の左眼映像フレーム値が２５５／２５５／２５５のＲＧＢ画素値を有し、右眼映像フレーム値が６４／２００／６４のＲＧＢ画素値を有する場合、Ｒ画素値が２５５から６４に変更され、Ｇ画素値が２５５から２００に変更され、Ｂ画素値が２５５から６４値に変更されるようになる。
【００９７】
この場合、パネルの応答速度は、それぞれ８.１ｍｓ、８.９ｍｓ、８.９ｍｓであってよく、これらの値を用いてクロストーク発生領域を検出することができる。この場合、各画素による応答速度を平均し、算出された平均応答速度を予め設定された閾値と比較する形式でクロストーク発生領域を検出することができる。
【００９８】
このように、クロストーク発生領域が検出されると、クロストークが発生する特定ピクセル値をテーブル形態で構成し、パネル製造会社、コンテンツ提供業者等に提供することができる。
【００９９】
図４は、本発明の一実施形態に係る制御部１５０の細部構成を示すブロック図である。
【０１００】
同図に示すように、制御部１５０は、３Ｄ特異情報抽出部１５１と、表示情報生成部１５２及び出力映像生成部１５３を含む。
【０１０１】
３Ｄ特異情報抽出部１５１は、左眼映像及び右眼映像の各画素単位に対して画素値の差を算出し、クロストーク発生可能領域を判断する。
【０１０２】
なお、３Ｄ特異情報抽出部１５１は、判断されたクロストーク発生可能領域及び保存部１４０に保存されたディスプレイパネルの応答速度に基づいてクロストーク発生領域を検出することができる。
【０１０３】
具体的に、３Ｄ特異情報抽出部１５１は、３Ｄ特異情報抽出部１５１で判断されたクロストーク発生可能領域に対する左眼映像及び右眼映像の画素値変更による応答速度を確認し、クロストーク発生領域を検出することができる。
【０１０４】
表示情報生成部１５２は、３Ｄ特異情報抽出部１５１から抽出されたクロストーク発生可能領域またはクロストーク発生領域を示す表示情報を生成する。
【０１０５】
具体的に、出力映像生成部１５３は、クロストーク発生可能領域またはクロストーク発生領域をレベル別に互いに異なる色相で表示したり、特定臨界レベル以上のクロストーク発生領域のみをレベル別に互いに異なる色相で表示したり、特定臨界レベル以上のクロストーク発生領域を同一のモノラル色で表示する形態の表示情報を生成することができる。
【０１０６】
出力映像生成部１５３は、映像処理部１５３から出力された左眼映像及び右眼映像と、表示情報生成部１５２から生成された表示情報とを組み合わせて出力映像を生成することができる。ただ、場合によっては、表示情報生成部１５２から生成された表示情報のみで出力映像を生成することもできる。
【０１０７】
図５Ａ及び図５Ｂは、本発明の一実施形態に係るクロストーク発生領域の表示方法を説明するための図である。
【０１０８】
図５Ａは、本発明の一実施形態に係るクロストークが発生する現象を示す。同図に示すように、ディスプレイされた映像の一部分５１０でクロストーク現象が起きる場合、当該現象を引き起こすクロストーク発生領域を検出して表示することができる。
【０１０９】
図５Ｂは、本発明の一実施形態に係るクロストーク発生領域を識別されて表示された例を示す。
【０１１０】
同図に示すように、クロストーク現象が発生する領域で左／右映像の画素値の差及び画素値の差による応答速度を用いて、クロストーク発生領域５２０を検出し、別の映像部分と識別できるように表示することができる。
【０１１１】
この場合、予め設定された臨界時間を基準に、反応時間が長い場合と短い場合とを区別し、互いに異なる階調で表示することもできる。
【０１１２】
図６Ａないし図６Ｃは、本発明の一実施形態に係るクロストーク発生領域の検出方法を説明するための図である。
【０１１３】
図６Ａに示すように、３Ｄ映像が分離された左眼映像及び右眼映像で各領域またはピクセルにおける画素値の差を検出する。例えば、同図に示すように、左眼映像のＡ領域及びＢ領域における画素値の差を検出する場合を説明する。
【０１１４】
図６Ｂに示すように、画素値の差を検出した結果、Ａ領域におけては、左眼映像及び右眼映像の画素値に差が生じていると検出され、Ｂ領域においては、左眼映像及び右眼映像の画素値に差がないと検出されているとすると、Ａ領域はクロストーク発生可能領域と判断することができる。
【０１１５】
例えば、Ａ領域の左眼映像フレーム値が２５５／２００／２６４のＲＧＢ画素値を有し、右眼映像フレーム値が２００／２００／２５５のＲＧＢ画素値を有する場合、Ａ領域は、画素値の差があると検出される。なお、Ｂ映像の左眼映像フレーム値が０／２００／２００のＲＧＢ画素値を有し、右眼映像フレーム値が０／２００／２００のＲＧＢ画素値を有する場合、Ｂ領域は画素値の差がないと検出される。
【０１１６】
続いて、左眼映像及び右眼映像の画素値の差があると検出されたＡ領域における左眼映像及び右眼映像の画素値変更によるパネルの応答速度を検出することができる。それにより、Ａ領域のうち、下部領域は応答速度が予め設定された閾値より速いが、Ａ領域のうち、上部領域は応答速度が予め設定された閾値より遅いと判断されると、Ａ領域のうち、上部領域６２０にクロストーク発生領域であることを表示することができる。
【０１１７】
ただ、上述の実施形態では、図６Ｂに示すように、最終的にクロストーク発生領域と判断された領域に対してのみ表示するものとして説明したが、場合によっては、画素値の差が検出された領域、すなわち、図６Ａにおいて、Ａ領域に対しても別の領域と区別できるように表示することも可能である。
【０１１８】
図７Ａないし図７Ｃは、本発明の理解を促すためのイメージ形態を説明するための図である。
【０１１９】
図７Ａは、入力された原本映像の左眼映像及び右眼映像の形態を示す図である。
【０１２０】
図７Ｂは、図７Ａに示す左眼映像及び右眼映像の偏差（ｄｉｓｐａｒｉｔｙ）を表示した偏差イメージを示す図である。すなわち、左眼映像及び右眼映像の画素値（または階調）の差を示す。
【０１２１】
図７Ｃは、図７Ｂに示す偏差イメージ及びディスプレイパネルの応答速度に基づいて算出されたクロストーク発生可能領域を示す。例えば、ディスプレイパネルの応答速度を考慮した左右映像の階調によるクロストークの認知特性を予め保存しておくと、３Ｄ映像のクロストーク発生可能領域を予測することができる。
【０１２２】
図８は、本発明の一実施形態に係るクロストーク発生領域の表示方法を説明するための図である。
【０１２３】
同図に示すように、入力された映像に対してクロストーク発生領域をクロストーク発生程度に応じて異なる色相８１０ないし８４０で表示することができる。
【０１２４】
図９Ａないし図９Ｃは、本発明の別の実施形態に係るクロストーク発生領域の表示方法を説明するための図である。
【０１２５】
図９Ａないし図９Ｃに示すように、クロストーク発生領域をクロストーク発生程度に応じて複数のレベルに分けた場合、予め設定された臨界レベル以上に該当するクロストーク発生領域のみを表示することができる。
【０１２６】
図９Ａは、クロストーク発生領域の表示のための臨界レベルを低く設定した場合を示す。図示のように、臨界レベルを最小限に設定した場合、ほとんど全てのクロストーク発生領域が表示されてよい。
【０１２７】
図９Ｂは、クロストーク発生領域の表示のための臨界レベルを中間に設定した場合を示す。図示のように、臨界レベルを中間程度に設定した場合、当該臨界レベル以上に該当するクロストーク発生領域のみが表示されてよい。
【０１２８】
図９Ｃは、クロストーク発生領域の表示のための臨界レベルを高く設定した場合を示す。図示のように、臨界レベルを高く設定した場合、当該臨界レベル以上に該当する一部の領域のみクロストーク発生領域で表示されてよい。
【０１２９】
それにより、ユーザは、臨界レベルを調整して所望のレベルに属するクロストーク発生領域のみを確認することができるようになる。
【０１３０】
図１０は、本発明の更に別の実施形態に係るクロストーク発生領域の表示方法を説明するための図である。
【０１３１】
同図に示すように、クロストーク発生領域を同一の有色色相で表示し、ユーザがクロストーク領域か否かを確認するようにすることができる。この場合、予め設定された臨界レベル以上に属するクロストーク発生領域のみを同一の色相で表示する等、多様な形態に変更して適用することができるようになる。
【０１３２】
図１１は、本発明の更に別の実施形態に係るクロストーク発生領域の表示方法を説明するための図である。
【０１３３】
同図に示すように、出力映像にクロストーク発生領域１１１０だけでなく、表示される情報の種類及び閾値に対する情報１１２０とともにディスプレイすることができる。例えば、図示のように、“Ｘ−ＴＡＬＫ  ２０  Ｔ０  ４０”という情報をディスプレイし、ユーザが表示された部分がクロストーク発生領域レベル２０〜４０に該当する領域であることを確認することができるようになる。
【０１３４】
図１２は、本発明の更に別の実施形態に係るクロストーク発生領域の表示方法を説明するための図である。
【０１３５】
同図に示すように、原本映像にクロストーク発生領域１２１０をオーバーレイしてディスプレイすることができる。具体的に、原本映像とクロストーク発生領域を示す表示情報を混合（Ｂｌｅｎｄｉｎｇ）して表示することができる。
【０１３６】
なお、図示はしていないが、本発明の更に別の実施形態によると、原本映像にオーバーレイしてディスプレイされたクロストーク発生領域を示す表示情報の透明度を時間に応じて自動可変（Ｆａｄｉｎｇ）し、ディスプレイすることができる。それにより、ユーザは、当該表示情報が３Ｄ映像に含まれた客体のどの部分か、どのような映像を与えるかを容易に確認することができるようになる。
【０１３７】
一方、上述の実施形態では、クロストーク発生領域の多様な表示方法についてのみ説明したが、当該方法は、左右映像の階調偏差の大きさを偏差イメージ表示方法にも同様に適用されることができる。
【０１３８】
図１３（ａ）及び図１３（ｂ）は、本発明の一実施形態に係るユーザインターフェース画面を示す図である。
【０１３９】
図１３（ａ）に示すように、本発明の一実施形態によって、特定コンテンツに対するクロストーク発生領域が検出された場合、当該情報をユーザに提供し、ユーザが最適の視聴環境で視聴するようにすることができる。
【０１４０】
例えば、特定コンテンツをＡ社の放送用モニタでシミュレーションしてクロストーク発生領域を検出した場合、検出された情報を用いて３Ｄ視聴のためのオプションを設定し、当該オプションに対するガイドを当該コンテンツに与えて提供することができる。それにより、図示のように、特定コンテンツが選択された場合、付加されているオプション設定ガイドがあることをユーザに報知するためのユーザインターフェース画面１３１０をディスプレイすることができる。
【０１４１】
なお、図１３（ａ）に示すユーザインターフェース画面で“Ｙｅｓ”が選択された場合、図１３（ｂ）に示すように、Ａ社のテレビの各モデル別の設定ガイドラインを提供する画面１３２０を提供し、ユーザがモデルを選択することができるようにすることができる。
【０１４２】
もちろん、コンテンツに各製造会社別の３Ｄオプション設定ガイドラインが付加されている場合には、製造会社を選択するためのユーザインターフェース画面を提供することもできる。
【０１４３】
一方、上述の実施形態では、テレビを通じてコンテンツを視聴する場合について説明しているが、それに限定されるものではなく、ＤＶＤ  Ｐｌａｙｅｒ、Ｂｌｕｅ  Ｒａｙ  Ｄｉｓｃ  Ｐｌａｙｅｒ、スマートフォン用のアプリ、スマートテレビ用のアプリ等を通じてコンテンツを視聴する場合にも同様の内容が適用されることができる。
【０１４４】
図１４は、本発明の一実施形態に係るディスプレイ装置の制御方法を説明するためのフローチャートである。
【０１４５】
同図に示すディスプレイ装置の制御方法によると、まず、受信された映像を左眼映像及び右眼映像に分離して処理する（Ｓ１４１０）。ここで、受信された映像が３Ｄ映像である場合、当該映像を左眼映像及び右眼映像に分離し、受信された映像が２Ｄ映像である場合、３Ｄ映像に変換した後、左眼映像及び右眼映像に分離することができる。
【０１４６】
続いて、分離された左眼映像及び右眼映像を交互に出力する（Ｓ１４２０）。
【０１４７】
なお、交互に出力される左眼映像及び右眼映像を構成する画素単位で左眼映像及び右眼映像の画素値の差を算出する（Ｓ１４３０）。
【０１４８】
その後、算出された画素値の差及び予め保存された各画素地に対するディスプレイパネルの応答速度を用いてクロストーク発生領域を検出する（Ｓ１４４０）。
【０１４９】
続いて、検出されたクロストーク発生領域を別の領域と識別できる形態でディスプレイする（Ｓ１４５０）。
【０１５０】
具体的に、ステップＳ１４５０では、検出されたクロストーク発生領域をクロストーク発生程度に応じて、クロストーク発生程度を複数のレベルに区分し、複数のレベルのそれぞれを異なる形態でディスプレイすることができる。
【０１５１】
なお、ステップＳ１４５０では、複数のレベルのそれぞれをクロストーク発生領域をクロストーク発生程度に応じて異なる色相でディスプレイすることができる。
【０１５２】
なお、ステップＳ１４５０では、クロストーク発生程度を複数のレベルに区分し、予め設定された臨界レベル以上に該当する領域のみをディスプレイすることができる。
【０１５３】
なお、ステップＳ１４５０では、クロストーク発生領域を同一のモノラル色でディスプレイすることができる。
【０１５４】
なお、ステップＳ１４５０では、クロストーク発生領域を入力された映像にオーバーレイしてディスプレイすることができる。
【０１５５】
なお、ステップＳ１４５０では、クロストーク発生領域の透明度を時間に応じて可変し、ディスプレイすることができる。
【０１５６】
なお、クロストーク発生領域を検出するステップＳ１４４０は、算出された画素値の差を基準に、クロストーク発生可能領域を判断し、判断されたクロストーク発生可能領域に対する左眼映像及び右眼映像の画素値変更による応答速度を確認し、クロストーク発生領域を検出することができる。
【０１５７】
なお、クロストーク発生可能領域を判断するための基準値を受信することができ、クロストーク発生可能領域を検出するステップＳ１４４０は、算出された画素値が入力された基準値以上である場合、当該領域をクロストーク発生可能領域として検出することができる。
【０１５８】
なお、検出されたクロストーク発生領域のクロストーク効果を最小限化するための３Ｄオプションに対する設定ガイドラインを提供することができる。
【０１５９】
ここで、３Ｄオプションに対する設定ガイドラインは、ディスプレイ装置の製造会社及び製品モデルのうち、少なくとも一つによる３Ｄオプションに対する設定ガイドラインを提供することができる。
【０１６０】
一方、上述のような本発明に係る多様な実施形態は、アクティブシャッタグラス方式、パッシブパターン化リターダ方式、アクティブリターダ方式等、パネル反応時間に制約のある全てのディスプレイ装置に適用可能である。
【０１６１】
なお、本発明に係るディスプレイ装置が標準放送用モニタで実現される場合、ｕｎｉｆｏｒｍｉｔｙ、ｃｏｌｏｒ、ｌｕｍｉｎａｎｃｅ等の条件が放送用のコンテンツの最適条件に合うように設計された最高の仕様のディスプレイ装置で実現されてよい。
【０１６２】
なお、本発明の多様な実施形態によって算出された情報は、多様な情報媒体に挿入されてユーザに提供されてよい。
【０１６３】
以上で説明したように、本発明の多様な実施形態によると、クロストーク発生領域を容易に認知することができるようになるため、ユーザの便宜性を向上することができるようになる。
【０１６４】
一方、上述の本発明の多様な実施形態に係る方法は、既存のディスプレイ装置に対するソフトウェアアップグレードのみで実現されてよい。
【０１６５】
一方、上述した本発明の多様な実施形態にかかる制御方法は、プログラムコードで実現化されて多様な非一時的読み取り可能媒体（ｎｏｎ−ｔｒａｎｓｉｔｏｒｙ  ｃｏｍｐｕｔｅｒ  ｒｅａｄａｂｌｅ  ｍｅｄｉｕｍ）に保存された状態で各サーバまたは機器に提供されることができる。
【０１６６】
非一時的読み取り可能媒体とは、レジスタ、キャッシュ、メモリ等のように短い瞬間の間にデータを格納する媒体でなく半永久的にデータを格納し、機器により読み取り（ｒｅａｄｉｎｇ）可能な媒体を意味する。具体的には、上述した多様なアプリケーションまたはプログラムは、ＣＤ、ＤＶＤ、ハードディスク、ブルーレイディスク、ＵＳＢ、メモリーカード、ＲＯＭ等のような非一時的読み取り可能媒体に格納されて提供されることができる。
【０１６７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１６８】
１００  ディスプレイ装置
１１０  映像受信部
１２０  映像処理部
１３０  映像出力部
１３１  パネル駆動部
１３２  ディスプレイパネル
１３３  バックライト部
１４０  保存部
１５０  制御部
１５１  ３Ｄ特異情報抽出部
１５２  表示情報生成部
１５３  出力映像生成部
１６０  ユーザインターフェース部
２００  ３Ｄグラス
５１０  ディスプレイされた映像の一部分
５２０、１１１０、１２１０  クロストーク発生領域
６２０  上部領域
８１０、８４０  色相
１１２０  示される情報の種類及び閾値に対する情報
１３１０  ユーザインターフェース画面
１３２０  設定ガイドラインを提供する画面
【図１】
2014011804.tif 000005
【図２】
2014011804.tif 000006
【図３】
2014011804.tif 000007
【図４】
2014011804.tif 000008
【図５Ａ】
2014011804.tif 000009
【図５Ｂ】
2014011804.tif 000010
【図６Ａ】
2014011804.tif 000011
【図６Ｂ】
2014011804.tif 000012
【図６Ｃ】
2014011804.tif 000013
【図７Ａ】
2014011804.tif 000014
【図７Ｂ】
2014011804.tif 000015
【図７Ｃ】
2014011804.tif 000016
【図８】
2014011804.tif 000017
【図９Ａ】
2014011804.tif 000018
【図９Ｂ】
2014011804.tif 000019
【図９Ｃ】
2014011804.tif 000020
【図１０】
2014011804.tif 000021
【図１１】
2014011804.tif 000022
【図１２】
2014011804.tif 000023
【図１３】
2014011804.tif 000024
【図１４】
2014011804.tif 000025